(57)【特許請求の範囲】
【請求項１】
体腔を修復するための装置において、
主のチューブ状コンポーネントを備え、前記主のチューブ状コンポーネントは、上端と、下端と、前記下端から延びた第１脚及び第２脚をもった幹部とを有しており、前記第２脚は、前記第１脚を越えて延び、かつ、前記第２脚は、ベルボトム形態を有する端部を含んでおり、
さらに、前記修復装置は、前記第１脚と合うように形成された第１のチューブ状コンポーネントと、
前記第２脚と合うように形成された第２のチューブ状コンポーネントと、
を備えていることを特徴とする修復装置。
【請求項２】
さらに、前記主のチューブ状コンポーネントの前記上端の近くに形成された主の拡張可能な装置を含むことを特徴とする請求項１に記載の修復装置。
【請求項３】
さらに、前記第１脚の内部に位置決めされた第１ドッキング部位を含み、前記第１ドッキング部位が、第１の自己拡張性ステントを含むことを特徴とする請求項１に記載の修復装置。
【請求項４】
さらに、前記第２脚の内部に位置決めされた第２ドッキング部位を含み、前記第２ドッキング部位が、第２の自己拡張性ステントを含むことを特徴とする請求項３に記載の修復装置。
【請求項５】
前記第１脚が、さらに、第１狭窄部を含むことを特徴とする請求項４に記載の修復装置。
【請求項６】
前記第２脚が第２狭窄部を含むことを特徴とする請求項５に記載の修復装置。
【請求項７】
前記第２狭窄部が、前記ベルボトム部の上方に配置されていることを特徴とする請求項６に記載の修復装置。
【請求項８】
前記第１のチューブ状コンポーネントが、さらに、複数の第１の補足的な拡張可能な装置を含み、前記第１の補足的な拡張可能な装置が、前記第１のチューブ状コンポーネントに沿って間隔を隔てて配置されていることを特徴とする請求項７に記載の修復装置。
【請求項９】
前記第２のチューブ状コンポーネントが、さらに、複数の第２の補足的な拡張可能な装置を含み、前記第２の補足的な拡張可能な装置が、前記第２のチューブ状コンポーネントに沿って間隔を隔てて配置されることを特徴とする請求項８に記載の修復装置。
【請求項１０】
前記第１狭窄部が、隣接した第１の補足的な拡張可能な装置の間に受け入れられることを特徴とする請求項９に記載の修復装置。
【請求項１１】
前記第２狭窄部が、隣接した第２の補足的な拡張可能な装置の間に受け入れられることを特徴とする請求項９に記載の修復装置。
【請求項１２】
さらに、前記第２狭窄部に位置決めされたＸ線不透過性の標識を含むことを特徴とする請求項６に記載の修復装置。
【請求項１３】
体腔を修復するための装置において、
主のチューブ状コンポーネントを備え、前記主のチューブ状コンポーネントは、上端と、下端と、前記下端から延びた第１脚及び第２脚をもった幹部とを有しており、前記第２脚は、前記第１脚を越えて延び、かつ、前記第２脚は、ベルボトム形態を有する端部を含んでおり、
さらに、前記修復装置は、前記主のチューブ状コンポーネントに取り付けられた複数の別個の拡張可能な装置を含んでおり、前記拡張可能な装置は、前記修復装置に沿って、異なる長手方向の高さに位置決めされており、
さらに、前記修復装置は、前記第１脚と合うように形成された第１のチューブ状コンポーネントを備え、さらに、前記第１のチューブ状コンポーネントは、複数の第１の補足的な拡張可能な装置を含み、前記第１の補足的な拡張可能な装置は、前記第１のチューブ状コンポーネントに沿って間隔を隔てて配置されており、
さらに、前記修復装置は、前記第２脚と合うように形成された第２のチューブ状コンポーネントを備え、さらに、前記第２のチューブ状コンポーネントは、複数の第２の補足的な拡張可能な装置を含み、前記第２の補足的な拡張可能な装置は、前記第２のチューブ状コンポーネントに沿って間隔を隔てて配置される、
ことを特徴とする修復装置。
【請求項１４】
前記拡張可能な装置のうちの１つは、前記主のチューブ状コンポーネントの前記上端の近くに形成された主の拡張可能な装置であることを特徴とする請求項１３に記載の修復装置。
【請求項１５】
前記拡張可能な装置のうちの１つは、第１の自己拡張性ステントであり、さらに、前記修復装置は、前記第１脚の内部に位置決めされた第１ドッキング部位を含み、該第１ドッキング部位が、前記第１の自己拡張性ステントで形成されることを特徴とする請求項１３に記載の修復装置。
【請求項１６】
前記拡張可能な装置のうちの他のものは、第２の自己拡張性ステントであり、さらに、前記修復装置は、前記第２脚の内部に位置決めされた第２ドッキング部位を含み、前記第２ドッキング部位が、前記第２の自己拡張性ステントで形成されることを特徴とする請求項１５に記載の修復装置。
【請求項１７】
前記第２脚は第２狭窄部を含んでおり、前記第２狭窄部は、前記修復装置に形成された環状のへこみであることを特徴とする請求項１６に記載の修復装置。
【請求項１８】
前記第２狭窄部は、前記ベルボトム部の上方に配置されることを特徴とする請求項１７に記載の修復装置。
【請求項１９】
前記第１脚は第１狭窄部を含んでおり、前記第１狭窄部は、隣接した第１の補足的な拡張可能な装置の間に受け入れられることを特徴とする請求項１３に記載の修復装置。
【請求項２０】
前記第２狭窄部が、隣接した第２の補足的な拡張可能な装置の間に受け入れられることを特徴とする請求項１７に記載の修復装置。
【請求項２１】
さらに、前記第２狭窄部に位置決めされたＸ線不透過性の標識を含むことを特徴とする請求項１７に記載の修復装置。
【請求項２２】
モジュラー移植片組立体であって、
第１端および第２端を含み、かつ、長手方向の寸法を有する主の移植片コンポーネントを備え、前記第２端は、広がった形態を有しており、
さらに、前記モジュラー移植片組立体は、少なくとも１つの補助の移植片コンポーネントと、
前記主の移植片コンポーネントに取り付けられ、かつ、前記主の移植片コンポーネントの前記長手方向の寸法に沿って、重ならないように位置決めされている複数の半径方向の拡張部材とを備えており、
前記第２端は、第１脚および第２脚によって構成されており、
さらに、前記モジュラー移植片組立体は、前記第１脚に連結されるようになっている第１の補助の移植片コンポーネントを備えており、
前記第１の補助の移植片コンポーネントは、前記主の移植片コンポーネントの前記第１脚の中に前記第１の補助の移植片コンポーネントを受け入れるように形成された半径方向の拡張部材を備えており、
さらに、前記モジュラー移植片組立体は、前記第２脚に連結されるようになっている第２の補助の移植片コンポーネントを備える、
ことを特徴とするモジュラー移植片組立体。
【請求項２３】
前記第２脚は、前記広がった形態を有することを特徴とする請求項２２に記載のモジュラー移植片組立体。
【請求項２４】
前記第１脚は、長さが前記第２脚の長さより長いことを特徴とする請求項２２に記載のモジュラー移植片組立体。
【請求項２５】
前記第１脚は、さらに、自己拡張性の半径方向の拡張部材で形成された末端部を備えることを特徴とする請求項２２に記載のモジュラー移植片組立体。
【請求項２６】
前記第２脚は、さらに、自己拡張性の半径方向の拡張部材で形成された末端部を備えることを特徴とする請求項２２に記載のモジュラー移植片組立体。
【請求項２７】
前記第２の補助の移植片コンポーネントは、さらに、前記主の移植片コンポーネントの前記第２脚の中に前記第２の補助の移植片コンポーネントを受け入れるように形成された半径方向の拡張部材を備えることを特徴とする請求項２２に記載のモジュラー移植片組立体。
【請求項２８】
前記広がった形態は、増大する直径をもった第１部分と、前記移植片の末端部を構成しかつ前記第１部分と連続的である第２部分とを有するという特徴があり、前記第２部分は、全体的に一定の拡張した直径を有することを特徴とする請求項２２に記載のモジュラー移植片組立体。
【発明の詳細な説明】
発明の属する技術分野
本発明は、腹部の大動脈瘤（ＡＡＡ:Abdominal Aortic Aneurysm）の修復用の動脈内プロテーゼであるモジュラーステント移植片に向けられている。
発明の背景技術
腹部の大動脈瘤の修復用の動脈内プロテーゼ（移植片）が、カテーテルをベースにした送出しシステムの中の遠位の動脈の樹枝状分岐を通して、腹部の大動脈瘤の中に導入され、拡張可能なフレームワーク（ステント）により、腹部の大動脈瘤に対して近位及び遠位の非拡張型の動脈に取付けられる。このタイプの動脈内プロテーゼは、可撓性導管、即ち移植片と、拡張可能なフレームワーク、即ちステント（又は複数のステント）という２つのコンポーネントを有する。腹部の大動脈瘤の修復用のこのような動脈内プロテーゼはステント移植片（ステントグラフト）と呼ばれる。腹部の大動脈瘤は、典型的には、同側の（体の同じ側にある）大腿動脈と対側の（体の反対側にある）大腿動脈の大動脈分岐部まで延びている。動脈瘤の下方に非拡張型の大動脈が存在することは稀であり、従って、移植片の遠位端は腸骨動脈の中に移植しなければならず、移植片が脚と骨盤の動脈への順行性の直列流れ（インラインフロー）を維持するために、遠位端はさらに分岐していなければならない。現在入手可能なステント移植片は２つのカテゴリーに分けられる。第１のカテゴリーのステント移植片は、予め成形された分岐した移植片の全体を動脈系の中に挿入し、操作により腹部の大動脈瘤のまわりの然るべき位置に配置するタイプのものである。これは単体ステント移植片である。第２のカテゴリーのステント移植片は、分岐した移植片を自然位で２つ以上のステント移植片コンポーネントから組立てるタイプのものである。この後者のステント移植片はモジュラーステント移植片（モジュール式ステントグラフト）と呼ばれる。
発明の概要
本発明は、複数のコンポーネントを備えるモジュラーステント移植片に向けられている。本発明のモジュラーステント移植片は、現在入手可能な腹部の大動脈瘤の修復用のモジュラーステント移植片に共通の主な欠点をなくすか、又は、この主な欠点を回避する。ステント移植片は大腿動脈系を通じて腹部の大動脈瘤の中に挿入される。移植片は腹部の大動脈瘤を架橋し、大動脈と大腿動脈の間に漏れなし導管を形成しなければならない。外科医はＸ線技術によってしか手術を見ることができないが、しかし、手術は３次元の環境で行われる。これは大変な技術が要求される作業であり、訓練を受けた熟練した外科医が必要である。
現在のモジュラーステント移植片に共通の主な欠点は下記のとおりである。
（１）ステント移植片コンポーネント間の連結部位から漏れが起こりやすく、コンポーネントの分離は血液を腹部の大動脈瘤の中に直接漏れさせ、動脈瘤破裂の潜在的可能性を復帰させる。もし、腹部の大動脈瘤が破裂した場合には、その結果として、患者が死亡することが多い。
（２）第２ステント移植片コンポーネントの導入の前に、第１ステント移植片コンポーネント上の連結部位にカテーテルを挿入するのが困難なことが多い。カテーテルを挿入し、大動脈瘤の修復を行うために必要な器具が、腹部の大動脈瘤の中の壁性血栓を移動させることがある。移動させられた壁性血栓は、大腿動脈を通る血流の中を小さな遠位の動脈まで運ばれ、遮断阻害と組織壊死を引起こすことになる。
本発明のモジュラーステント移植片は、３つのステント移植片コンポーネントから構成されている。第１ステント移植片コンポーネントは、近位が幹部であり、遠位が２本の脚又はドッキング部位であり、半ズボンに似ている。第２及び第３のステント移植片コンポーネントは、第１ステント移植片コンポーネントドッキング部位から腹部の大動脈瘤を貫通して大腿動脈まで延びる、ほぼ直径が均一なチューブである。完成したモジュラーステント移植片は腹部の大動脈瘤を、腹部の大動脈から大腿の動脈まで架橋する。第２及び第３のステント移植片コンポーネントの近位端、すなわち、大動脈に最も近い端は、第１ステント移植片のドッキング部位の中に挿入される。第２ステント移植片コンポーネントは、同側の動脈を通じて、第１ステント移植片コンポーネントの同側のドッキング部位まで挿入される。第２ステント移植片コンポーネントは同側の延長部とも呼ばれる。第３ステント移植片コンポーネントは、対側の動脈を通じて、第１ステント移植片コンポーネントのベルボトム部を通る同側のドッキング部位まで挿入される。第３ステント移植片コンポーネントは対側の延長部とも呼ばれる。
本発明のモジュラーステント移植片は多数の特徴的なエレメントを有している。２つのドッキング部位を開放状態に保持するステントは異なる高さに位置し、寸法も異なっている。同側のドッキング部位では、ステントはドッキング部位の内部にある。対側のドッキング部位に関しては、ステントは、より幅広の遠位セグメントの内部に、すなわち、対側のドッキング部位の下方のベルボトムセグメントの内部にある。
第１ステント移植片コンポーネントの遠位ステントは異なる高さに位置し、一方が他方の下にあるので、これらの遠位ステントは、送出しシステムの異なるセグメントを占めることになる。ステント移植片コンポーネントは狭いカテーテルを通じて腹部の大動脈瘤に送出されるので、送出しを楽に実施できるようにするために、その直径を可能な限り縮小しなければならない。ステント移植片を３つのコンポーネントに分けることにより、必要なステントを異なる高さに配置することができ、可能な限り大きくすることができる。単体システムよりモジュラーシステムの場合の方が遠位ステントを大きくすることができるので、同側のドッキング部位と対側のドッキング部位の遠位オリフィスを大きくすることができ、従って、送出しのためのカテーテルの挿入が楽になる。対側の側面では、すわなち、対側のドッキング部位を有する側面では、これだけが重要である。同側の側面では、すなわち、同側のドッキング部位を有する側面では、第１ステント移植片を動脈系を通して腹部の大動脈瘤まで導入するのに使用されたのと同じガイドワイヤにより、カテーテルを導入することができる。実際には、対側のドッキング部位の遠位オリフィスは少なくとも第１ステント移植片コンポーネントの幹部と同じ大きさにすることができる。第１ステント移植片コンポーネント１２と、第２ステント移植片コンポーネント１４及び第３ステント移植片コンポーネント１６は、生物学的に不活性な編物又は織物、又はＰＴＦＥ膜材料のような膜材料と、ステンレス鋼又はチタンのような弾性材料といった、同一又は異なる生物学的に不活性な移植片及びステント材料から製造することができる。
本発明の１つの観点において、本発明は体腔を修復するための装置において、上端と、下端と、該下端から延びた第１脚及び第２脚をもった幹部とを有しており、前記第２脚が前記第１脚を越えて延び、ベルボトム形態を有する端部を含んでいる主のチューブ状コンポーネントと、
前記第１脚と合うように形成された第１のチューブ状コンポーネントと、
前記第２脚と合うように形成された第２のチューブ状コンポーネントと、
を備えることを特徴としている。
【図面の簡単な説明】
第１図は、腹部の大動脈瘤を修復するために移植された本発明のモジュラーステント移植片の断面図である。
第２図は、第１図のモジュラーステント移植片の第１ステント移植片コンポーネントの正面斜視図である。
第３図は、第２図の第１ステント移植片コンポーネントの断面図である。
第４図は、第１図のステント移植片の上部部分断面図である。
第５図は、第１図のステント移植片の拡大部分断面図である。
第６図は、第１図のモジュラーステント移植片の第２ステント移植片コンポーネントの断面図である。
第７図は、本発明のモジュラーステント移植片の１ステント移植片コンポーネントの変形形態の正面斜視図である。
第８図は、本発明のモジュラーステント移植片の１ステント移植片コンポーネントの第２の変形形態の断面図である。
第９図は、本発明のモジュラーステント移植片の１ステント移植片コンポーネントの第３の変形形態の正面斜視図である。
好ましい実施の形態の詳細な説明
第１図を参照すると、腹部の大動脈瘤２８を修復するために移植された本発明のモジュラーステント移植片１０を示す。モジュラーステント移植片１０は、近位端１３Ａ及び遠位端１３Ｂを有する第１ステント移植片コンポーネント１２と、同側の（体の同じ側にある）延長部と呼ばれることが多い第２ステント移植片コンポーネント１４と、対側の（体の反対側にある）延長部と呼ばれることが多い第３ステント移植片コンポーネント１６とを備える。この３つのコンポーネントは、自己拡張性ステント（第１図には図示せず）を収容したシース又は移植片４１、２１及び２３を有する。第１ステント移植片コンポーネント１２の幹部４０の近位端１３Ａは、腹部の大動脈２２の非拡張部の中の近位の移植部位３０に移植される。第２ステント移植片コンポーネント、すなわち、同側の延長部の近位端３６は、同側のドッキング部位１８のところで、第１ステント移植片コンポーネントに連結されている。第３ステント移植片コンポーネント、すなわち、対側の延長部の近位端３７は、対側のドッキング部位２０のところで、第１ステント移植片コンポーネントに連結される。第２ステント移植片コンポーネントの遠位端３８は、同側の遠位の移植部位３２のところで、同側の腸骨動脈２４の非拡張部分の中に移植される。第３ステント移植片コンポーネント、すなわち、対側の延長部の遠位端は、ここで説明するように、対側のドッキング部位３４のところで、対側の腸骨動脈２６の非拡張部分の中に移植される。第１ステント移植片コンポーネントの対側の脚１５Ｂはベルボトム４２で終わっている。以下で説明するように、ベルボトムは、大動脈及び動脈瘤２８におけるモジュラーステント移植片の外科移植と操作を助ける。
同側の動脈（同側の大腿動脈と同側の腸骨動脈）から上に延び、同側のドッキング部位を通って同側の延長部の中に入り、幹部４０の近位端１３Ａから外に出ている同側のカテーテルガイドワイヤ８０を示す。対側の大腿動脈から対側の腸骨動脈を通って上に延び、対側のドッキング部位を通って対側の延長部の中に入り、幹部４０の近位端１３Ａから外に出ている対側のカテーテルガイドワイヤ８２を示す。通常は、手術が終了するまで、両ガイドワイヤは挿入されたままである。腹部の大動脈瘤を修復するためのモジュラーステント移植片の移植が成功した後に、これらのガイドワイヤは取出される。好ましい実施の形態では、第１ステント移植片コンポーネント及び同側の延長部の腹部の大動脈瘤の中への送出を可能にするために、同側のカテーテルガイドワイヤ８０がまず最初に挿入される。対側のカテーテルガイドワイヤ８２は対側の腸骨動脈２６から第１ステント移植片コンポーネントの対側のドッキング部位２０の中に挿入される。上記のように、外科医は２次元のＸ線画面により腹部の大動脈瘤の３次元の環境を見ている。第１ステント移植片コンポーネントの大きなベルボトム４２が、ガイドワイヤ８２をベルボトム４２の中と対側のドッキング部位２０の中にうまく通すという外科医の仕事を楽にしてくれる。明らかなように、第１ガイドワイヤ８０が挿入される時には、外科医はガイドワイヤを同側の腸骨動脈２４から腹部の大動脈瘤を貫通させ腹部の大動脈２２の中に入れる作業を行う。もし、対側のドッキング部位２０の下方にベルボトム４２がなければ、対側のカテーテルガイドワイヤ８２を第１ステント移植片コンポーネントの対側のドッキング部位２０の中にうまく通すことは非常に困難であり、多くの場合には不可能であろう。
第２図及び第３図を参照すると、モジュラーステント移植片１０の第１ステント移植片コンポーネント１２は、第１ステント移植片コンポーネントの近位端１３Ａに幹部４０を備え、第１ステント移植片コンポーネントの遠位端１３Ｂに同側の脚１５Ａと対側の脚１５Ｂとを備えている。同側の脚１５Ａの遠位端は狭窄部６２を有する。対側の脚１５Ｂは、狭窄部６２とほぼ同じ高さに狭窄部６４を有する。第２図に示すように、Ｘ線不透過性の標識（マーカー）６６が、第１ステント移植片コンポーネントの狭窄部６２に、狭窄部６４に隣接して配置されている。この標識は、外科医が同側の延長部と対側の延長部の近位ステントの配置を行う際の手がかりとなる。第１ステント移植片コンポーネントは、米国特許第４，５８０，５６８号、同第４，６５５，７７１号、同第４，８３０，００３号、同第５，１４０，４０４号、及び、同第５，２２２，９７１号に開示されたような従来型のステント移植片送出しカテーテルシステムによって、大動脈瘤２８の中に送り出される。モジュラーステント移植片は、３つの自己拡張性ステント、即ち、第１ステント移植片の内部の近位端１３Ａに配置された近位の幹部ステント４８と、第１ステント移植片の内部の同側の脚１５Ａの遠位端１３Ｂの近くに配置された同側の幹部ステント５０と、ベルボトム４２の内部の対側の脚１５Ｄの遠位端１３Ｄに配置されたベルボトムステントとを有する。これらは、米国特許第４，５８０，５６８号、同第４，６５５，７７１号、同第４，８３０，００３号、同第５，１４０，４０４号、及び、同第５，２２２，９７１号に開示されたような従来型の自己拡張性ステントである。米国特許出願第０８／５８２，９４３号に開示されている、本出願人の自己拡張性ステントを使用することができる。
本発明で採用されたステントは自己拡張性であり、従って、カテーテル送出しシステムの中で狭窄させられる。大動脈瘤に送り出される第１ステント移植片コンポーネントは、高さが異なる位置に３つのステントを有するので、従来の手段による同側の動脈を通じてのステント移植片の楽な送出しのために、移植片（第１ステント移植片コンポーネントのエンベロープ）とステントを直径が非常に小さくなるように収縮することができることから、移植片とステントを非常に大きくすることができる。もし、２つ以上のステントが同じ高さにあるとしたら、遠位ステントの寸法を収縮させずに、第１ステント移植片コンポーネントを同じ程度まで収縮させることは不可能であろう。第１ステント移植片コンポーネント１２の近位端１３Ａが大動脈２２の近位の移植部位３０の内部に達するまで、第１ステント移植片コンポーネントは腹部の大動脈瘤を通じて送り出される。送出しシステムは第１ステント移植片コンポーネントをゆっくりと解放し、近位の幹部ステント４８が自己拡張し、大動脈２２の非拡張部分の、すなわち、健康な部分の内壁と、第１ステント移植片コンポーネント１２の近位端の外壁との間に結合を形成することを可能にする。外科医はこの操作をＸ線観察により観察する。第１ステント移植片コンポーネントを大動脈瘤２８の中に残したままで、送出しシステムが取出されるにつれて、同側の幹部ステント５０が拡張し、次に、ベルボトムステント５２が拡張し、ベルボトムを形成する。ステント５０及び５２は、第２ステント移植片コンポーネント１４及び第３ステント移植片コンポーネント１６を挿入するために、脚１５Ａ及び脚１５Ｂの遠位端を開いたままにしておく。同側の腸骨動脈２４と大動脈瘤２８を通じて第１ステント移植片コンポーネントを大動脈２２の非拡張部に案内するために利用される同側のカテーテルガイドワイヤ８０は、第２ステント移植片コンポーネント１４の挿入、連結、及び、移植用のガイドとして残されている。
第１ステント移植片コンポーネントを移植するためにガイドワイヤを使用したのと同じ方法で同側のガイドワイヤ８０を使用して、収縮した第２ステント移植片コンポーネントを収容した送出しシステムは再び腹部の大動脈瘤に案内される。第６図に示したように、第２ステント移植片コンポーネント、すなわち、同側の延長部１４は、近位の同側の延長部ステント５４と、遠位の同側の延長部ステント５５と、支持ステント６０という、複数の自己拡張性ステントを備えたチューブ状シース２１で構成されている。これらのステントは自己拡張性であり、送出しシステムの中に挿入された時には収縮される。いったん、送出しシステムが同側の延長部をモジュラーステント移植片の中に正しく配置し、送出しシステムが取出されると、送出しシステムが取出されるにつれて、ステントが連続的に拡張させられる。
第１図及び第４図を参照すると、同側の延長部１４の近位端３６は同側のドッキング部位１８の中に挿入されている。送出しシステムが取出されるにつれて、近位の同側の延長部ステント５４が拡張し、同側の幹部ステント５０と近位の同側の延長部ステント５４との間でチューブ状シース２１を圧縮する。同側の幹部ステント５０の内径は絞り部６２の内径開口よりも大きく、その結果、近位の同側の延長部ステント５４が拡張するにつれて、狭い胴部７０がシース２１の中に形成される。これが同側の延長部１４を同側の脚１５Ａに物理的にロックし又は固定し、同側の延長部が第１ステント移植片コンポーネントから滑り出たり、引出されたりするのを阻止する。送出しシステムが完全に取出されると、遠位の同側の延長部ステント５５が拡張し、同側の大腿動脈２４の内壁の同側の遠位の移植部位３２に対してシース２１を押付ける。
同側の延長部が同側の腸骨動脈２４の中にうまく移植されたことを外科医が確認した後に、対側のカテーテルガイドワイヤ８２が対側の腸骨動脈２６を通して腹部の大動脈瘤の中に挿入される。上記のように、第１ステント移植片コンポーネントのベルボトム４２は、外科医がガイドワイヤを対側のドッキング部位２０の中に通すのを助ける。ガイドワイヤがきちんと配置された後に、対側の延長部の近位端３７が対側のドッキング部位２０の内部に配置されるように、全ての意図及び目的が第６図に示した同側の延長部と同一である圧縮対側の延長部１６を収容した送出しシステムが、ガイドワイヤ８２に沿って案内される。第１の近位の対側の延長部ステント５６が狭窄部６４の上方又は近位に配置され、第２の近位の対側の延長部ステント５８が狭窄部６４の下方又は遠位に配置されるように、対側の延長部の近位端はドッキング部位の中に配置されている。送出しシステムが取出されるにつれて、自己拡張性であるステント５６及び５８が拡張し、対側の延長部のシース２１を拡張させ、対側のドッキング部位２０に対してシース２１を押付ける。拡張したステント５６及び５８の外径は狭窄部６４の内径よりも大きいので、狭い胴部７２がシース２１の中に形成される。これが対側の延長部の近位端３７を第１ステント移植片コンポーネントのドッキング部位２０の中に物理的にロックし又は固定する。対側の延長部の近位端３７が対側のドッキング部位にうまく連結されたことを確認した後に、外科医が対側の延長部の遠位端３９を対側の腸骨動脈２６の対側の遠位の移植部位３４の中に挿入する。いったんこの配置が完了すると、外科医は送出しシステムを慎重に取出し、遠位の対側の延長部ステント（図示せず）が膨脹し、対側の大腿動脈の内壁に対して対側の延長部シース２１の外壁を押付けことを可能にする。対側の延長部がうまく移植されたことを外科医が確認すると、対側のカテーテルガイドワイヤは取出される。この時点で、モジュラーステント移植片は腹部の大動脈瘤の修復のためにうまく移植されており、大動脈瘤は患者の循環系から遮断され、もはや、流体を蓄積するものとして作用することがないので、この修復は患者の生命を救うだけではなく、患者の生活の質を高めることにもなる。
対側のドッキング部位２０の狭窄部６４のＸ線不透過性の標識６６は、外科医が手術中の種々のコンポーネントの操作を観察する際の標識の役割を果たす。この標識により、外科医は、絞り部６２、６４に関して、近位の同側の延長部ステントと近位の対側の延長部ステントの位置をそれぞれ簡単に決めることが可能になる。
第７図を参照すると、ベルボトム４２が対側の腸骨オリフィスの方に向けられ、それにより、上記のように、対側のドッキング部位２０の中への対側のカテーテルガイドワイヤ８２の案内を容易にすることを特徴とする、本発明の第１ステント移植片コンポーネント１２の変形形態を示す。その他の全ての点では、第１ステント移植片コンポーネントは、上記のステント移植片コンポーネント１２と同一である。ステント４８、５０及び５２は点線で示してある。
第８図を参照すると、本発明の第１ステント移植片コンポーネント１２Ｂの第２の変形形態を示す。同側のドッキング部位１８Ａには、上記の第１ステント移植片コンポーネント１２に含まれていた同側の幹部ステントはない。しかしながら、対側のドッキング部位２０Ａは、第１ステント移植片コンポーネントの円錐４４に関して円錐形部を形成するために偏向させられたステント５１から遠位方
向又は下向きに延びる一連の長さ方向のストラット５３を備えた対側の幹部ステント５１を有している。その他の全ての点では、第１ステント移植片コンポーネント１２Ｂは、上記の第１ステント移植片コンポーネント１２と同一である。
第１ステント移植片コンポーネントの変形形態１２Ｂをモジュラーステント移植片を形成するために利用した場合には、同側の延長部１４の近位端３６は絞り部６２の少し上方に配置され、その結果、近位の同側の延長部ステント５４が拡張すると、このステントは同側のドッキング部位１８Ａの内壁に対して同側の延長部のシース２１の外壁を拡張させ、第１ステント移植片コンポーネント１２Ｂに対して同側の延長部を密封する。
近位の同側の延長部ステントの外径は狭窄部６２の内径よりも大きく、その結果、同側の延長部のシース２１に狭い胴部（図示せず）が形成され、従って、同側の延長部の近位端を同側のドッキング部位１８Ａにロックし及び固定し、同側の延長部が第１ステント移植片コンポーネント１２Ｂから滑り出たり、引出されたりするのを阻止する。円錐４４は、ベルボトム４２と同様に、外科医が対側のドッキング部位２０Ａの中に対側のカテーテルガイドワイヤを配置するための大きい目標エリア与える役割を果たす。第１ステント移植片コンポーネント１２Ｂが送出しシステムの中にある場合には、第１ステント移植片コンポーネント１２Ｂは圧縮され、ストラット６３は互に平行に隣接して整列させられる。第１ステント移植片コンポーネントが近位の移植部位３０の中に移植された後に、送出しシステムが取出された場合には、ストラット６３は外向きに拡張し、円錐４４のエンベロープ４５を拡張させる。対側の延長部１６の近位端３７に狭い胴部７２Ａを形成するのを助けるために、ストラットは狭窄部６４Ａの接合部において外向きに曲がっている。対側のカテーテルガイドワイヤが対側のドッキング部位２０Ａの内部に配置された後に、対側の延長部１６の近位端３７がドッキング部位の内部に配置される。送出しシステムはゆっくりと取出され、近位の対側の延長部ステント５６が拡張できるようになり、対側の幹部ステント５１の内側と第１の近位の対側の延長部ステント５６の外側との間で延長部のシース２１を圧縮する。シース２１の中に形成された狭い胴部７２Ａが対側の延長部の近位端３７を対側のドッキング部位２０Ａにロックし又は固定し、延長部がドッキング部位から滑り出たり、引出されたりするのを防止する。
第９図を参照すると、第３の変形形態のステント移植片コンポーネント１２Ｃを示し、このステント移植片コンポーネント１２Ｃは、第１ステント移植片コンポーネントの同側のドッキング部位１８Ｂが同側の前部ステントを含んでいない点を除けば、上記の第１ステント移植片コンポーネント１２と同一である。対照的に、このステント移植片コンポーネント１２Ｃでは、近位の移植部位３０の中への移植中に同側の脚１５Ａが長さ方向につぶれるのを阻止するために、可撓性ブレーサ７６がコンポーネントの内部に配置されている。変形例として、同側の脚１５Ａを対側の脚１５Ｂに取付けることにより、２つの脚の間にストラットを取付けることにより、２つの脚の間に膜を取付けることにより、又は、２つの脚を縫合わせることにより（図示せず）、第１ステント移植片コンポーネント１２Ｃの同側の脚１５Ａが長さ方向につぶれるのを阻止することができる。
【図１】
0004042998.tif 000002
【図２】
0004042998.tif 000003
【図３】
0004042998.tif 000004
【図６】
0004042998.tif 000005
【図４】
0004042998.tif 000006
【図５】
0004042998.tif 000007
【図７】
0004042998.tif 000008
【図９】
0004042998.tif 000009
【図８】
0004042998.tif 000010